(57)【特許請求の範囲】
【請求項１】
液透過性の表面シート、液不透過性の裏面シート、及び前記表面シートと前記裏面シートとの間に配置される吸収体を有する吸収性物品と、前記吸収性物品を個別に包装する包装シートと、を備え、
前記吸収性物品の前後方向に延びる長手方向と、前記長手方向と直交する幅方向と、を有し、
前記包装シートに前記吸収性物品が配置された状態で、前記幅方向に沿う第１幅折り目を基点に前方に向かって折り畳まれた前記包装シートの後端部及び前記吸収性物品の後端部上に、前記幅方向に沿う第２幅折り目を基点に後方に向かって折り畳まれた前記包装シートの前端部及び前記吸収性物品の前端部が配置されるように構成されている吸収性物品の包装体であって、
前記吸収性物品の後端部及び前記包装シートの後端部のうち、少なくとも前記包装シートの後端部は、前記吸収性物品の前端部及び前記包装シートの前端部とともに、前記第２幅折り目を基点に後方に向かって折り返されている、吸収性物品の包装体。
【請求項２】
前記吸収性物品の後端部は、前記吸収性物品の前端部及び前記包装シートの前端部とともに、前記第２幅折り目を基点に後方に向かって折り返されており、展開状態で前記第２幅折り目によって前記表面シート側から前記裏面シート側に向かって折り返されている、請求項１に記載の吸収性物品の包装体。
【請求項３】
前記吸収性物品の前端部は、展開状態で前記第２幅折り目によって前記裏面シート側から前記表面シート側に向かって折り返されており、
前記吸収性物品の前端部と後端部との間の中央部は、展開状態で前記第１幅折り目によって前記裏面シート側から前記表面シート側に向かって折り返されている、請求項１又は請求項２に記載の吸収性物品の包装体。
【請求項４】
前記吸収性物品は、前記吸収体の幅方向両端部から幅方向外側に延出するウイングフラップ部を更に備えており、
前記第１幅折り目は、ウイングフラップ部の幅方向長さが最も長い最大幅位置と、該ウイングフラップ部の長手方向端部との長手方向における間の領域に形成されており、
前記第１長手折り目及び前記第２長手折り目よりも幅方向外側の前記ウイングフラップ部は、前記第１幅折り目によって前記表面シート側から前記裏面シート側に向かって折り返されている、請求項３に記載の吸収性物品の包装体。
【請求項５】
前記ウイングフラップ部の衣服当接面には、衣服に吸収性物品を貼付するための粘着剤が付されたフラップ接着部と、前記粘着剤が付されていない非接着部と、が設けられており、
前記第１幅折り目によって前記表面シート側から前記裏面シート側に向かって折り返されるウイングフラップ部の衣服当接面には、前記非接着部が設けられている、請求項４に記載の吸収性物品の包装体。
【請求項６】
前記裏面シートの衣服当接面には、衣服に吸収性物品を貼付するための粘着剤が付された粘着部が設けられており、
前記粘着部は、前記包装シートの後端部側に位置する前記第２幅折り目よりも前方に配置されている、請求項１から請求項５のいずれかに記載の吸収性物品の包装体。
【発明の詳細な説明】
【技術分野】
【０００１】
本発明は、吸収性物品を包装シートによって包装した吸収性物品の包装体に関する。
【背景技術】
【０００２】
特許文献１には、液透過性の表面シートと、液不透過性の裏面シートと、表面シートと裏面シートとの間に配置される吸収体とを有する吸収性物品としての生理用ナプキンを、包装シート上に配置した状態で複数回折り畳むことによって、生理用ナプキンを個別に包装した吸収性物品の包装体が記載されている。
【０００３】
このように構成された吸収性物品の包装体は、包装シート上に配置された生理用ナプキンを、生理用ナプキンの長手方向に沿った２本の長手折り目を基点にして、生理用ナプキンの幅方向両端部を内側に向かって折り返した後、生理用ナプキンの幅方向に沿った２本の幅折り目を基点にして、生理用ナプキンの長手方向両端部を長手方向中央に向かって折り返すことによって、生理用ナプキンを個別に包装する。
【先行技術文献】
【特許文献】
【０００４】
【特許文献１】特開平３−１７６３７６号公報（第２頁の下段から第３ページの上段、図１及び図３）
【発明の概要】
【発明が解決しようとする課題】
【０００５】
しかし、上述の吸収性物品の包装体は、以下の問題があった。
生理用ナプキンの長手方向の両端部は、それぞれ幅方向に沿った２本の幅折り目を基点にして長手方向内側に折り畳まれている。よって、吸収性物品の包装体を展開する際は、一方の幅折り目を基点に、包装シートの長手方向の一方の端部を長手方向外側に向かって折り返した後、他方の幅折り目を基点に、包装シートの長手方向の他方の端部を長手方向外側に向かって折り返す。
【０００６】
このように包装シート及び吸収性物品を展開した状態では、一般的に、包装シートに折り癖が残り、包装シートは平滑な状態で維持され難い。よって、包装シートの一方の端部を折り返した状態で、包装シートの他方の端部が一方の幅折り目に近接していると、着用者が包装シートの長手方向端部を掴み難くなり、包装シートを展開し難くなることがあった。
【０００７】
そこで、本発明は、上述の課題に鑑みてなされたものであり、着用者が容易に包装シートを展開でき、装着作業を容易に行うことができる吸収性物品の包装体を提供することを目的とする。
【課題を解決するための手段】
【０００８】
本開示に係る吸収性物品の包装体（吸収性物品の包装体１００）は、液透過性の表面シート（表面シート１０）、液不透過性の裏面シート（裏面シート２０）、及び前記表面シートと前記裏面シートとの間に配置される吸収体（吸収体３０）を有する吸収性物品（吸収性物品１）と、前記吸収性物品を個別に包装する包装シート（包装シート７０）と、を備え、前記吸収性物品の前後方向に延びる長手方向（長手方向Ｌ）と、前記長手方向と直交する幅方向（幅方向Ｗ）と、を有し、前記包装シートの後端部（後端部７０Ｄ）と前記吸収性物品の後端部（後端部１Ｄ)とが前記幅方向に沿う第１幅折り目（第１幅折り目ＦＷ１）を基点に前方に向かって折り畳まれた後、前記包装シートの前端部（前端部７０Ｃ）と前記吸収性物品の前端部（前端部１Ｃ）が前記幅方向に沿う第２幅折り目（第２幅折り目ＦＷ２）を基点に後方に向かって折り畳まれる吸収性物品の包装体であって、前記吸収性物品の後端部及び前記包装シートの後端部のうち、少なくとも前記包装シートの後端部は、前記吸収性物品の前端部及び前記包装シートの前端部とともに、前記第２幅折り目を基点に後方に向かって折り返されていることを要旨とする。
【発明の効果】
【０００９】
本開示によれば、着用者が容易に包装シートを展開でき、装着作業を容易に行うことができる吸収性物品の包装体を提供することができる。
【図面の簡単な説明】
【００１０】
【図１】第１の実施形態に係る吸収性物品の包装体の肌当接面側から見た平面図である。
【図２】図１に示す吸収性物品の包装体の背面図である。
【図３】図１に示すＡ−Ａ断面の模式断面図である。
【図４】図１に示す吸収性物品の包装体の折り畳み工程を模式的に示した図である。
【図５】図１に示す吸収性物品の包装体の折り畳み工程を模式的に示した図である。
【図６】図１に示す吸収性物品の包装体を開封している状態を示す図である。
【図７】第１の実施形態に係る吸収性物品の包装体の開封状態を示した図である。
【図８】第２の実施形態に係る吸収性物品の包装体の肌当接面側から見た平面図である。
【図９】第３の実施形態に係る吸収性物品の包装体の肌当接面側から見た平面図である。
【発明を実施するための形態】
【００１１】
（第１の実施形態）
図１から図７を参照して、第１の実施形態に係る吸収性物品の包装体について説明する。図１は、吸収性物品の包装体の肌当接面側から見た平面図であり、図２は、吸収性物品の包装体の背面図である。図３は、図１に示すＡ−Ａ断面の模式断面図である。吸収性物品の包装体１００は、吸収性物品１と、この吸収性物品１を包装する包装シート７０と、を有する。本実施形態に係る吸収性物品１は、例えば、生理用ナプキンである。
【００１２】
吸収性物品の包装体１００は、包装シート７０上に吸収性物品１が配置された状態で包装シート７０と吸収性物品１とが折り畳まれることにより、吸収性物品１が個別に包装される。図１及び図２は、包装シート７０によって吸収性物品１を個別に包装した後、吸収性物品１を開いた展開状態を示している。この吸収性物品１の包装態様については、後述にて詳細に説明する。
【００１３】
吸収性物品１は、液体を透過する液透過性の表面シート１０、液体を透過しない液不透過性の裏面シート２０、及び吸収体３０を有する吸収性本体１Ａと、吸収性本体１Ａよりも幅方向外側に延出するフラップ部１Ｂと、を有する。吸収性本体１Ａは、表面シート１０、裏面シート２０及び吸収体３０が積層された部分であり、フラップ部１Ｂは、吸収体３０よりも幅方向外側の部分である。
【００１４】
吸収体３０は、表面シート１０と裏面シート２０との間に配設される。従って、吸収体３０は、図１において破線で示される。吸収体３０は、吸収性物品１の長手方向Ｌ及び幅方向Ｗにおける中央部分に配設される。
【００１５】
フラップ部１Ｂは、着用者の排泄口に当接する排泄口当接領域の幅方向外側に配置されたウイングフラップ部４３と、ウイングフラップ部４３よりも後方に配置されたヒップフラップ部４４と、を備える。更に、吸収性物品１は、幅方向Ｗにおいて吸収体３０の外側に設けられるサイドシート４１を備える。
【００１６】
なお、排泄口当接領域は、吸収性物品１において着用者の膣口に当接する領域であり、例えば、着用者の下着に吸収性物品１が着用される際に、下着の２つの足回り開口の間に配置される領域である。また、排泄口当接領域の中心とは、着用者の排泄口が当接する領域の長手方向及び幅方向の中心である。例えば、ウイングフラップ部を有する吸収性物品においては、ウイングフラップ部の長手方向の中心が、排泄口当接領域の長手方向の中心となる。また、ウイングフラップ部を有しない吸収性物品においては、吸収体の幅方向の長さ寸法が最も短い位置が、排泄口当接領域の長手方向の中心となる。
【００１７】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１８】
表面シート１０上の液伝いを抑制するために、表面シート１０の肌当接側の面に凹凸加工を施してもよいし、不織布からなる表面シート１０の成形時にエアーを当てることによって、不織布に目付のむらを形成してもよい。また、表面シート１０と吸収体３０との間に、表面シート１０側から吸収体３０側へ体液を引き込むためのセカンドシートを設けてもよい。
【００１９】
裏面シート２０は、表面シート１０の長さと略同一の長さを有する。裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。本実施の形態の裏面シート２０は、液不透過性のポリエチレンのフィルムによって構成されている。
【００２０】
吸収体３０は、テッシュ又は不織布からなる吸収シート３１と、吸収シート３１よりも肌当接側に配置され、パルプが積層された吸収コア３２と、を含む。吸収コア３２は、吸収シート３１の肌当接側の面に当接した下側吸収コア３２Ａと、下側吸収コア３２Ａよりも肌当接側の面に当接した上側吸収コア３２Ｂと、を有する。
【００２１】
吸収シートは、テッシュ又は不織布によって形成することができる。吸収シートを構成する不織布としては、熱可塑性繊維からなる不織布であって、親水性処理を施した不織布や、親水性繊維からなる不織布を用いることができる。また、吸収シートを構成する不織布として、親水性繊維又は粉体をエアレイド法によってシート状に成形したエアレイドシートを用いることも可能となる。
【００２２】
吸収コア３２は、吸収シート３１よりも長手方向Ｌ及び幅方向Ｗにおいて小さい。また、上側吸収コア３２Ｂは、下側吸収コア３２Ａよりも長手方向Ｌ及び幅方向Ｗにおいて小さい。上側吸収コア３２Ｂは、下側吸収コア３２Ａよりも吸収材料の目付が高く構成されており、排泄口当接領域を含む中央領域に配置されている。上側吸収コア３２Ｂは、図１に示す平面視において、表面シート１０と吸収体３０とが厚み方向に圧縮された圧搾部２２によって囲まれた領域に設けられている。なお、本実施の形態では、上側吸収コア３２Ｂと下側吸収コア３２Ａとが一体化されている。
【００２３】
上側吸収コア３２Ｂと下側吸収コア３２Ａは、別個に構成されていてもよいし、一体化されていてもよい。本実施の形態に係る吸収コア３２は、上側吸収コア３２Ｂと下側吸収コア３２Ａとが一体化して形成されている。吸収シート３１と吸収コア３２とが別体によって構成される場合には、ホットメルト型接着剤等の接着剤によって貼り合わされていてもよい。
【００２４】
表面シート１０、吸収体３０、裏面シート２０は、それぞれの層間分離を防止するためにも接合されていることが好ましい。これらの接合は、エンボス加工、超音波、ホットメルト型接着剤等を単独もしくは組み合わせて使用することが可能である。また、着用時における吸収体の型崩れやヨレを防止したり、吸収体の厚みを調整したりするために、吸収体にエンボス加工を施してもよい。
【００２５】
サイドシート４１は、表面シート１０の両側に配設される。サイドシート４１は、表面シート１０と同様の材料から選ぶことができる。但し、サイドシート４１を乗り越えて吸収性物品１外方へ経血が流れることを防止するためには、疎水性又は撥水性を有することが好ましい。具体的には、スパンボンド不織布やＳＭＳ不織布などが挙げられ、特に、こすれによる肌への刺激を低減するためにはエアースルー不織布が好ましい。
【００２６】
サイドシート４１は、吸収体３０の側縁の一部及びフラップ部１Ｂを覆う。サイドシート４１の幅方向における内側端部４１Ｅは、後述する第１長手折り目ＦＬ１及び第２長手折り目ＦＬ２よりも幅方向外側において、第１長手折り目ＦＬ１及び第２長手折り目ＦＬ２に隣接して配置されている。
【００２７】
吸収性物品１では、表面シート１０、サイドシート４１及び裏面シート２０の周縁が接合されて、吸収体３０が内封される。表面シート１０と裏面シート２０との接合方法としては、ヒートエンボス加工、超音波、又はホットメルト型接着剤のいずれか一つ、又は複数を組み合わせることが可能である。
【００２８】
裏面シート２０において下着と接触する表面には、粘着剤が塗布された粘着領域が複数設けられている。粘着領域は、吸収性本体１Ａの非肌当接側の面に設けられた本体粘着領域５１（図３参照）と、フラップ部１Ｂの非肌当接側の面に設けられたフラップ粘着領域５２（図３参照）と、を有する。なお、本実施の形態に係るフラップ粘着領域５２は、ウイングフラップ部４３のみに設けられているが、ヒップフラップ部４４に設けられていてもよい。
【００２９】
使用前の状態では、本体粘着領域５１は、離型シートとしての本体シート６１によって覆われ、フラップ粘着領域５２は、離型シートとしてのフラップシート６２によって覆われている。本体シート６１及びフラップシート６２によって、使用前に接着剤が劣化するのを防止している。
【００３０】
本体シート６１は、本体粘着領域５１と包装シート７０との間に配置されている。本体シート６１の本体粘着領域５１側の面には、離型処理が施されており、本体粘着領域５１と離間可能に構成されている。フラップシート６２のフラップ粘着領域５２側の面には、離型処理が施されており、フラップ粘着領域５２と離間可能に構成されている。
【００３１】
本体シート６１及びフラップシート６２は、それぞれ、接着剤を介して包装シート７０に接着されている。包装シート７０の本体シート及びフラップシート側の面には、本体シート６１を接着する接着剤が塗布された本体接着領域６５と、フラップシート６２を接着する接着剤が塗布されたフラップ接着領域６６と、がそれぞれ複数設けられている。
【００３２】
なお、本体シート６１は、後述する第１長手折り目ＦＬ１及び第２長手折り目ＦＬ２よりも幅方向内側に配置されており、内側離型シートとして機能し、フラップシート６２は、第１長手折り目ＦＬ１及び第２長手折り目ＦＬ２よりも幅方向外側に配置されており、外側離型シートとして機能する。
【００３３】
本体接着領域６５は、長手方向に延びる筋状であり、本体粘着領域５１よりも短い幅で、本体粘着領域５１よりも多数並んで配置されている。また、フラップ接着領域６６は、フラップ粘着領域５２よりも短い幅で、フラップ粘着領域５２よりも多数並んで配置されている。
【００３４】
包装シート７０は、吸収性物品１を個別に包装する。包装シート７０は、吸収性物品１の裏面シート２０側において吸収性物品１と対向する対向面７１と、吸収性物品１を収容した状態で外側に位置する非対向面７２と、を有する。
【００３５】
包装シートの幅方向の端部は、第１長手折り目側に配置された第１幅端部７０Ａと、第２長手折り目側に配置された第２幅端部７０Ｂと、であり、いずれも長手方向に沿って配置されている。また、包装シートの長手方向の端部は、前側に配置された前端部７０Ｃと、後側に配置された後端部７０Ｄと、であり、いずれも幅方向に沿って配置されている。
【００３６】
なお、包装シート７０は、質感向上等の目的のために包装シート７０の表面に丸点エンボスや梨地エンボスのような表面加工が施されていてもよい。包装シート７０の材質としては、例えば、ポリエチレンやポリプロピレン、ポリエステル等のプラスチックフィルムやナイロンフィルムなどの各種フィルム、不織布をラミネートさせたフィルム等が挙げられる。
【００３７】
本体シート６１及びフラップシート６２は、包装シート７０に接着されているため、包装シート７０から吸収性物品１を離間させると、包装シート７０と吸収性物品１から離間し、本体粘着領域５１及びフラップ粘着領域５２が露出する。
【００３８】
なお、粘着剤及び接着剤は、例えば、ホットメルト型接着剤を用いることができる。また、本体シート及びフラップシートは、粘着剤の粘着力を低下させることなく剥離可能にする処理離型処理が施された紙，フィルム，不織布によって構成することができる。例えば、ポリエチレンテレフタレート又はポリプロピレンフィルムにシリコーン樹脂塗工したシートや、紙にシリコーン樹脂塗工したポリエチレンフィルムをラミネートしたシートを、本体シート６１及びフラップシート６２として用いることができる。
【００３９】
このように構成された吸収性物品１及び包装シート７０は、幅方向Ｗ及び長手方向Ｌに沿った所定の折り位置において、吸収性物品１の表面シート１０を内側にして折り畳まれる。吸収性物品１が折り畳まれた状態で、包装シート７０の長手方向Ｌにおける一方の端部が包装シート７０に貼着される。包装シート７０の端部は、粘着テープ７５によって包装シート７０の一部と貼着される。
【００４０】
なお、吸収性物品等の硬さは、例えば、ＪＩＳ-１０９６に規定されているガーレー法を用いて測定することができる。また、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００４１】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７８００）を用いて、５０倍の倍率で測定する。ここで、サンプルの吸収性物品を凍結させる理由は、カット時の圧縮により厚みが変動するのを防ぐためである。
【００４２】
次に、このように構成された吸収性物品１の製造方法の一部について説明する。なお、説明しない方法については、既存の方法を用いることができる。吸収性物品の製造方法は、第１ステップとして、表面シート生成工程を行う。具体的には、表面シートとサイドシート４１とを、例えば熱溶着によって接着する。
【００４３】
次いで、第２ステップとして、吸収シート成形工程を行う。
【００４４】
第３ステップとして、吸収体成型工程を行う。具体的には、成型ドラムによって吸収体の材料となるパルプを成型して吸収コア３２を成型する。なお、第１ステップから第３ステップの製造工程は、異なる順序であってもよい。
【００４５】
第４ステップにおいて、接合工程を行う。具体的には、第１ステップにおいて接合した表面シート及びサイドシートと、第２ステップにおいて成型した吸収シート３１と、第３ステップにおいて成型した吸収コア３２と、を接合する接合工程を行う。
【００４６】
第５ステップにおいて、圧搾工程を行う。具体的には、吸収体３０と表面シート１０とを厚み方向に圧縮し、圧搾部２２を形成する。
【００４７】
第６ステップにおいて、裏面シート接合工程を行う。具体的には、圧搾部を形成した吸収体及び表面シート等と、裏面シートとを接合する。裏面シートを接合した後、接着剤を塗布する工程を備える。上記の工程により、本実施の形態に係る吸収性物品を製造することができる。
【００４８】
次いで、図４及び図５に基づいて、吸収性物品の包装体１００の折り畳み方法を説明する。図４は、吸収性物品の包装体１００の折り畳み工程を模式的に示した図である。図５は、吸収性物品の包装体の折り畳み態様を模式的に示す斜視図である。吸収性物品の包装体１００の折り畳み工程は、吸収性物品載置工程と、第１折り工程と、第２折り工程と、切断工程と、第３折り工程と、第４折り工程と、テープ貼付工程と、を有する。
【００４９】
吸収性物品載置工程Ｓ１０１では、包装シート７０上に、吸収性物品１、本体シート６１及びフラップシート６２が配置される。なお、１個の吸収性物品１を個別に包装する寸法の包装シート７０上に吸収性物品１を配置してもよいし、例えば、搬送方向に沿って連続する包装シート上に、所定間隔を空けて複数の吸収性物品を配置するように構成してもよい。
【００５０】
第１折り工程Ｓ１０２では、包装シート７０と吸収性物品１とが、幅方向における吸収性物品１の一方の端部側を含む端部領域側から、長手方向Ｌに沿った第１長手折り目ＦＬ１（図１参照）を基点に内側に折り返される。図５（ａ）は、第１折り工程によって折り畳まれた状態の吸収性物品の包装体を示している。
【００５１】
第２折り工程Ｓ１０３では、包装シート７０と吸収性物品１とが、幅方向Ｗにおける吸収性物品１の他方の端部側を含む端部領域側から、長手方向Ｌに沿った第２長手折り目ＦＬ２（図１参照）を基点に内側に折り返される。図５（ｂ）は、第２折り工程によって折り畳まれた状態の吸収性物品の包装体を示している。
【００５２】
次いで、切断工程Ｓ１０４では、第２長手折り目ＦＬ２を基点に折り返された吸収性物品１及び包装シート７０の連続体が、幅方向に沿った切断線に沿って切断される。包装シート７０及び吸収性物品１は、切断されることによって、個々の製品長となる。
【００５３】
また、図５（ｂ）に示す状態で、包装シート７０の前端部７０Ｃ及び後端部７０Ｄは、対向して配置された包装シート７０同士が熱溶着によって接合されている。この接合領域９０を図６に斜線を付して示す。接合領域９０は、包装シート７０の後端部７０Ｄの幅方向全域と、包装シートの前端部の幅方向中央域と、に設けられている。
【００５４】
第３折り工程Ｓ１０５では、包装シート７０と吸収性物品１とが、幅方向Ｗに沿った第１幅折り目ＦＷ１を基点に折り返される。具体的には、包装シートの後端部７０Ｄと吸収性物品の後端部１Ｄとが幅方向に沿う第１幅折り目ＦＷ１を基点に前方に向かって折り畳まれる。この状態で、包装シートの後端部７０Ｄは、第２幅折り目ＦＷ２よりも前方に延出している。第３折り工程Ｓ１０５は、搬送される吸収性物品１及び包装シート７０が、折り畳みプレートＰによって上方から押圧されることによって折り畳まれる。
【００５５】
第４折り工程Ｓ１０６では、包装シート７０と吸収性物品１とが、幅方向Ｗに沿った第２幅折り目ＦＷ２を基点に折り返される。具体的には、包装シートの前端部７０Ｃと、吸収性物品の前端部１Ｃと、包装シートの後端部７０Ｄと、が第２幅折り目ＦＷ２を基点に後方に向かって折り畳まれる。第４折り工程Ｓ１０６は、搬送される吸収性物品１及び包装シート７０が、折り畳みプレートＰによって側方から押圧されることによって折り畳まれる。
【００５６】
このとき、包装シート７０の前端部７０Ｃの接合領域９０は、幅方向全域に設けられなく、幅方向中央のみに設けられており、包装シート７０の前端部７０Ｃの幅方向両端部には、包装シート同士が接合されていない非接合領域９１が設けられている。
【００５７】
例えば、第４折り工程Ｓ１０６において包装シートが折り畳まれる状態で、包装シートの前端部７０Ｃの幅方向全域と後端部７０Ｄの幅方向全域とに接合領域９０が設けられていると、第４折り工程Ｓ１０６で折り畳まれる際に、包装シート７０の内部の空気が押圧されて包装シートが破れてしまうことがある。また、包装シートが破れない場合であっても、包装シートの内部の空気が抜け難く、吸収性物品の包装体１００をコンパクトにできないことがある。
【００５８】
しかし、包装シート７０の前端部７０Ｃの幅方向両端部には、包装シート同士が接合されていない非接合領域９１が設けられているため、第４折り工程Ｓ１０６において包装シートが折り畳まれる際に、包装シート内部の空気が抜けやすくなり、折り畳み時の包装シートの破れを防止し、かつ吸収性物品の包装体をコンパクトにすることができる。
【００５９】
なお、本実施の形態の吸収性物品の包装体は、包装シート７０の前端部７０Ｃに非接合領域９１が設けられているが、この構成に限られない。例えば、包装シート７０の前端部７０Ｃに非接合領域９１が設けられていてもよいし、包装シート７０の前端部７０Ｃと後端部７０Ｄの両方に非接合領域９１が設けられていてもよい。
【００６０】
テープ貼付工程Ｓ１０７では、粘着テープ７５によって包装シートの長手方向の前端部が、包装シートの表面に貼付される。図５（ｃ）は、粘着テープ７５が貼付された状態の吸収性物品の包装体を示している。粘着テープ７５は、一端が包装シートの長手方向の前端部に接合され、他端が第２幅折り目ＦＷ２を基点として折り返された状態で包装シートの表面に剥離可能に貼付される。
【００６１】
このような折り畳み方法によれば、吸収性物品１を包装シート７０によってコンパクトに包装することができる。具体的には、吸収性物品及び包装シートの平面面積を広げた場合と比べて約１／９にすることができるため、吸収性物品をコンパクトにすることができる。吸収性物品１を小型化することにより、小物入れ、ポシェット等のバッグに収納する場合、バッグの収納スペースを大きく占有する事がなく、簡便な携帯を可能とする。また、吸収性物品１をコンパクトに包装することにより、使用時にトイレ等に携帯する際に、折り返さない状態でも手の中に配置し、他人から見えないように保持する事が可能となる。
【００６２】
次いで、このように折り畳まれた吸収性物品の包装体１００の開封態様について、図６に基づいて詳細に説明する。図６は、包装シート７０によって個別に包装された吸収性物品１を開封する状態を模式的に示した図である。吸収体物品の包装体１００を開封する際は、例えば、一方の手で包装シート７０の長手方向の端部と吸収性物品１の長手方向の端部を抑えた状態で他方の粘着テープ７５を把持し、一方の手によって抑えた包装シート７０から離間する方向に粘着テープ７５を引っ張る。
【００６３】
粘着テープ７５を引っ張ることにより、粘着テープ７５が付されている包装シート７０の前端部７０Ｃが粘着テープ７５と共に引っ張られ、第２幅折り目ＦＷ２を基点に展開される。図５（ｄ）に示す状態で、包装シートの後端部７０Ｄは、吸収性物品の前端部１Ｃ及び包装シートの前端部１Ｃとともに、第２幅折り目ＦＷ２を基点に後方に向かって折り返されていたため、図６に示す展開状態で、包装シートの後端部７０Ｄは、表面シート側から裏面シート側に向かう山折り目が形成されており、包装シートの後端部７０Ｄが立ち上がる。
【００６４】
吸収性物品の包装体１００の開封作業は、次いで、包装シート７０の後端部７０Ｄを把持して、第１幅折り目ＦＷ１を基点に展開する。このとき、包装シートの後端部７０Ｄが立ち上がっているため、包装シートの後端部７０Ｄが掴み易くなり、装着時の操作性を向上させることができる。
【００６５】
また、図７は、吸収性物品の包装体の展開状態における折り目を模式的に示した図である。図７において、表面シート側から裏面シート側に向かう折り目である、山折り目ＭＦを一点鎖線で示し、裏面シート側から表面シート側に向かう折り目である、谷折り目ＶＦを二点鎖線で示す。
【００６６】
図７に示すように、第１長手折り目ＦＬ１と第２長手折り目ＦＬ２との間において、吸収性物品の前端部１Ｃは、展開状態で第２幅折り目ＦＷ２によって裏面シート側から表面シート側に向かって折り返されている。また、第１長手折り目ＦＬ１と第２長手折り目ＦＬ２との間において、吸収性物品の前端部と後端部との間の中央部も、展開状態で第１幅折り目ＦＷ１によって裏面シート側から表面シート側に向かって折り返されている。
【００６７】
吸収性物品の前端部と中央部とが谷折りであるため、中央部よりも前側及び後側が表面シート側に立ち上がり易くなり、着用者の腹側から背側に沿って吸収性物品を配置し易くなる。
【００６８】
また、第１幅折り目によって形成される折り目は、第１長手折り目ＦＬ１と第２長手折り目ＦＬ２との間において谷折り目であり、第１長手折り目よりも幅方向外側及び第２長手折り目よりも幅方向外側において山折り目である。
【００６９】
上述のように、第１長手折り目ＦＬ１と第２長手折り目ＦＬ２との間において谷折り目であることにより、前後方向において身体に沿って吸収性物品の包装体を配置できる。しかし、第１長手折り目ＦＬ１と第２長手折り目ＦＬ２との間において谷折り目が幅方向外側まで延出していると、谷折り目による隙間が吸収性物品の幅方向端部まで形成され、却って身体に沿って吸収性物品が配置されないおそれがある。しかし、第１長手折り目よりも幅方向外側及び第２長手折り目よりも幅方向外側において山折り目であるため、フラップ部が身体側に向かうように変形し、隙間を埋めることができる。
【００７０】
ウイングフラップ部の衣服当接面には、衣服に吸収性物品を貼付するための粘着剤が付されたフラップ接着領域６６と、粘着剤が付されていない非接着領域６７と、が設けられている。第１幅折り目ＦＷ１によって表面シート側から裏面シート側に向かって折り返されるウイングフラップ部及びヒップフラップ部の衣服当接面には、非接着領域６７が設けられている（図２参照）。すなわち、第１幅折り目は、フラップ接着領域６６に重なって配置されていない。
【００７１】
例えば、第１幅折り目がフラップ接着領域６６に重なって配置されている場合には、下着に吸収性物品１を装着した際に、第１幅折り目が形成されている部分が粘着剤によって下着に固定され、折り癖による効果を発揮できないおそれがある。しかし、当該部分が粘着部によって下着に接着されないため、第１幅折り目ＦＷ１による折り癖の効果を発揮し易くできる。
【００７２】
また、図５及び図６に示すように、吸収性物品の包装体１００を折り畳んだ状態で厚み方向における最も内側には、包装シート７０の後端部に形成される第２幅折り目が位置する。よって、吸収性物品の包装体の折り癖は、包装シート７０の後端部に形成される第２幅折り目が最も厚み方向内側に位置するため強くなり、他の折り目は、包装シート７０の後端部に形成される第２幅折り目よりも厚み方向外側に位置するため弱くなる。よって、吸収性物品自体に残る折り癖を低減することができる。
【００７３】
（第２の実施形態）
次いで、図８に基づいて、第２の実施形態に係る吸収性物品の包装体１０１について説明する。なお、以下の説明においては、第１の実施形態と同様の構成について、同符号を用いて説明を省略する。
【００７４】
第２の実施形態に係る吸収性物品の包装体１０１は、包装シート７０の後端部７０Ｄと吸収性物品１の後端部１Ｄとが、包装シート７０の前端部７０Ｃと吸収性物品１の前端部１Ｃとともに、第２幅折り目ＦＷ２を基点に折り畳まれるように構成されている。
【００７５】
よって、第２幅折り目ＦＷ２を基点に展開した状態で、包装シート７０の後端部７０Ｄと吸収性物品１の後端部１Ｄとは、山折り目によって裏面シート側に折り返されている。
【００７６】
一般的に、吸収性物品を装着する際は、下着のクロッチ部に吸収性物品を装着した後、下着を引き上げて装着する。このとき、吸収性物品１の後端部７０Ｄが立ち上がった状態の吸収性物品を装着しようとすると、下着を引き上げる際に、吸収性物品の後端部を巻き込み、吸収性物品が折れ曲がってしまうおそれがある。
【００７７】
特に、吸収性物品の後端部１Ｄは、着用者の臀部が膨らんでおり、かつ着用時に視認しにくいため、装着時に巻き込まれ易い。吸収性物品の後端部が一旦巻き込まれると、吸収性物品を下着に装着するための粘着剤が身体や吸収性物品の他の部分にくっついたり、吸収性物品が折れ曲がったりして、吸収性物品を適切に装着できないおそれがある。
【００７８】
しかし、吸収性物品の後端部１Ｄが下着側に折り返されているため、吸収性物品を下着に貼り付けた後に装着する際に、吸収性物品の後端部の巻き込みを防止できる。
【００７９】
また、図８に示す展開状態において、吸収性物品の後端部の幅方向中央は、第２幅折り目ＦＷ２によって表面シート側から裏面シート側に向かって折り返され、吸収性物品の後端部の幅方向両端部は、第２幅折り目ＦＷ２によって裏面シート側から表面シート側に向かって折り返されている。
【００８０】
吸収性物品の後端部の幅方向中央が山折りで、幅方向両端部が谷折りであるため、吸収性物品の後端部が幅方向中央を中心に着用者側に立ち上がるため、吸収性物品の後端部を着用者の臀部の丸みに沿って配置し易くなる。
【００８１】
第１幅折り目ＦＷ１は、ウイングフラップ部４３の幅方向長さが最も長い最大幅位置４３Ｍと、ウイングフラップ部の長手方向端部４３Ｌとの長手方向における間の傾斜領域に形成されている。第１長手折り目ＦＬ１及び第２長手折り目ＦＬ２よりも幅方向外側のウイングフラップ部は、第１幅折り目ＦＷ１によって表面シート側から裏面シート側に向かって折り返されている。
【００８２】
ウイングフラップ部は、幅方向長さが最も長い最大幅位置よりも長手方向外側に向かって除々に幅方向の長さが短くなっており、幅方向及び長手方向に対して傾斜する傾斜領域を有する。また、ウイングフラップ部は、吸収体が配置された領域と比べて厚さが薄く、下着に対してフラットな状態を保ちにくい。また、ウイングフラップ部の裏面には、フラップ接着領域６６が設けられており、ウイングフラップ部を下着の非当接面側に折り返す際に接着剤同士がくっついてしまう不具合が生じることがある。
【００８３】
しかし、第１幅折り目ＦＷ１を傾斜領域に設けることにより、第１幅折り目ＦＷ１によってウイングフラップ部には、山折り目が形成され、この山折り目の間には、谷折り目が形成される。山折り目と谷折り目とが交互にウイングフラップ部に形成されているため、ウイングフラップ部が水平な状態を維持し易くなる。よって、第１幅折り目ＦＷ１の作用によって、ウイングフラップ部が水平に保たれやすくなり、ウイングフラップ部の両端部を巻き込んだり、粘着剤同士がくっついたりする不具合を抑制できる。
【００８４】
裏面シートの衣服当接面には、衣服に吸収性物品を貼付するための粘着剤が付された本体接着領域６５が設けられている。本体接着領域６５は、後方に位置する第２幅折り目ＦＷ２よりも前方に配置されている。第２幅折り目ＦＷ２によって折り返された部分に粘着剤があると、下着に装着する前に粘着剤が裏面シートにくっついてしまう不具合が生じるおそれがある。しかし、裏面シート側に折り返された部分に粘着剤が付されていないため上記不具合を解消できる。
【００８５】
（第３の実施形態）
次いで、図９に基づいて、第３の実施形態に係る吸収性物品の包装体１０２について説明する。第３の実施形態に係る吸収性物品の包装体１０２は、第１長手折り目及び第２長手折り目を基点に折り畳まれず、第１幅折り目及び第２幅折り目を基点にのみ折り畳まれるように構成されている。
【００８６】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００８７】
例えば、吸収性物品の包装体は、第１長手折り目ＦＬ１及び第２長手折り目ＦＬ２を基点に折り畳まれた後、第２幅折り目ＦＷ２及び第２幅折り目ＦＷ２を基点に折り畳まれるように構成されていてもよいし、第１長手折り目ＦＬ１及び第２長手折り目ＦＬ２を基点に折り畳まれずに、第２幅折り目ＦＷ２及び第２幅折り目ＦＷ２のみを基点に折り畳まれるように構成されていてもよい。
【００８８】
更に、吸収性物品は、ウイングフラップ部を備えていない構成であってもよい。また、吸収性物品は、離型シートとしての本体シート及び／又はフラップシートを備えていなくてもよい。
【００８９】
本開示係る吸収性物品は、生理用ナプキン以外に、パンティライナー（おりものシート）、失禁パッド等であってもよい。本発明は、ここでは記載していない様々な実施形態などを含むことは勿論である。したがって、本発明の技術的範囲は、上述の説明から妥当な特許請求の範囲に係る発明特定事項によってのみ定められるものである。
【符号の説明】
【００９０】
１…吸収性物品
１Ａ…吸収性本体
１Ｂ…フラップ部
１Ｃ…吸収性物品の前端部
１Ｄ…吸収性物品の前端部
１０…表面シート
２０…裏面シート
２２…圧搾部
３０…吸収体
３１…吸収シート
３２…吸収コア
３２Ａ…下側吸収コア
３２Ｂ…上側吸収コア  
４１…サイドシード
４３…ウイングフラップ部
４３Ｌ…長手方向端部
４３Ｍ…最大幅位置
４４…ヒップフラップ部
５１…本体粘着領域
５２…フラップ粘着領域
６１…本体シート
６２…フラップシート
６５…本体接着領域
６６…フラップ接着領域
６７…非接着領域
７０…包装シート
７０Ａ…包装シートの第１幅端部
７０Ｂ…包装シートの第１幅端部
７０Ｃ…包装シートの前端部
７０Ｄ…包装シートの前端部
７１…対向面
７２…非対向面
７５…粘着テープ
９０…接合領域
９１…非接合領域
１００、１０１、１０２…吸収性物品の包装体
ＦＬ１…第１長手折り目
ＦＬ２…第２長手折り目
ＦＷ１…第１幅折り目
ＦＷ２…第２幅折り目
Ｌ…長手方向
Ｔ…厚み方向
Ｗ…幅方向
【図１】
0005947597.tif 000002
【図２】
0005947597.tif 000003
【図３】
0005947597.tif 000004
【図４】
0005947597.tif 000005
【図５】
0005947597.tif 000006
【図６】
0005947597.tif 000007
【図７】
0005947597.tif 000008
【図８】
0005947597.tif 000009
【図９】
0005947597.tif 000010